(57)【要約】【課題】  専用配線を別途用意する必要がなく、同一電位での配線作業がなく、外観的にも良好でコストを抑え、同一電位への接続数の増減にも容易に対応する。【解決手段】  配線中継接続のために用いる導電端子２を平面視Ｔ字形状に形成し、隣接するユニット３の角穴３２内にその導電端子２の連結用突出部２２を挿入し、この挿入した連結用突出部２２と、そのユニット３に嵌め込んだ導電端子２の中央部とを、ねじで上下に直に締結する。【選択図】  図１
2006210199.tif 000002
【特許請求の範囲】
【請求項１】
配線中継および配線分岐用の導電端子を収容した絶縁性のユニットをその幅方向に複数連結可能とするユニット式の端子台において、
隣り合うユニットの両導電端子が電気的に直にまたはスペーサ手段を介して接続されている端子台。
【請求項２】
前記導電端子が、短冊状端子の中央部から連結用端子が突出した平面視Ｔ字形状の場合に、前記隣り合うユニットの両導電端子のうち一方の導電端子における連結用端子の少なくとも端縁部と、他方の導電端子の該中央部とが互いに重なって設けられている請求項１に記載の端子台。
【請求項３】
前記導電端子が、平面視Ｌ字形状の場合に、前記隣り合うユニットの両導電端子のうち一方の導電端子における少なくとも端縁部と、他方の導電端子の屈曲した中央部とが重なって設けられている請求項１に記載の端子台。
【請求項４】
前記端縁部と前記中央部とがねじの締結力、ばねの付勢力および押圧力のいずれかにより電気的に接続されている請求項２または３に記載の端子台。
【発明の詳細な説明】
【技術分野】
【０００１】
本発明は、例えば原子力発電所、火力発電所および変電所などの配電盤、制御盤および監視盤などに配線中継および配線分岐用として用いられる例えばねじ式端子台、ねじアップ式端子台、ばね式端子台およびクランプ式端子台などの端子台に関する。
【背景技術】
【０００２】
従来より、配電盤、制御盤および監視盤などにおいて、配線中継および分岐用として各種端子台、例えばねじ式端子台、ねじアップ式端子台、ばね式端子台およびクランプ式端子台などが用いられている。
【０００３】
図６は、複数ユニットがその幅方向に連結された従来のねじアップ式端子台の構成例を示す斜視図である。
【０００４】
図６に示すように、ねじアップ式端子台１００は、ねじ１０１を締結して導電端子１０２を介して配線を連結するときに、導電端子１０２のねじ穴１０２ａからねじ１０１を回転離脱させた状態で端子面に対して垂直方向（上方向）にねじ１０１を座金１０３と共に移動（アップ）することにより、ねじ締結作業を容易にする端子数変更可能なユニット式の端子台である。このねじアップ式端子台１００は、絶縁壁１０４を持つユニット毎に導電端子１０２が収容されており、複数のユニットがレール１０５に組み込まれ、複数のユニットの両側からエンドプレート１０６を介して固定金具１０７によってレール１０５上に固定されている。
【０００５】
このようなねじアップ式端子台１００の詳細な構成例については、例えば特許文献１にその詳細が記載されている。
【０００６】
また、ＩＥＣ規格６０２４７の制御盤の規格において、各機器に対して保護接地を取ることが義務付けされている。これは、通常のアース接地とは別に、各機器のＳＧ（サージグランド）を一括してブスバー上に繋ぐことを意味している。
【特許文献１】実開平５−２３４２６号公報
【発明の開示】
【発明が解決しようとする課題】
【０００７】
しかしながら、上記従来のねじアップ式端子台１００では、端子数変更可能なユニット式であって、隣接する導電端子１０２はモールド製の絶縁壁１０４で仕切られて電気的に互いに絶縁されているため、互いに隣接する複数の導電端子１０２を電気的に接続するためには、ショートバーなどの専用配線部品や配線を個別に用いて各端子間を接続していた。この場合、専用配線部品や配線を別途用意する必要があり、その配線作業にも人手がかかり煩雑になると共に、配線忘れや配線ミスが発生する虞もある。
【０００８】
また、上記従来の接地端子では、ブスバーにタップをいっぱい開けてそこに各機器からの専用接地配線を用いて全て接続している。このため、多数タップ加工された専用のブスバーが必要になると共に、機器の数が固定ではなくタップ加工の数が配線時に増加して新たにブスバーにタップ加工を施す必要が生じたり、タップ加工の数が多くてブスバー自体を大きくする必要が生じたりして、配線を外したり付けたりする必要も生じ、これによって工数やコストがかかる上、外観も悪く、機器の数によっては対応できずフレキシビリティがない。
【０００９】
本発明は、上記従来の問題を解決するもので、専用配線を別途用意する必要がなく、同一電位にするための配線作業がなく、外観的にも良好でコストを抑えることができると共に、同一電位への接続数の増減にも容易に対応することができる端子台を提供することを目的とする。
【課題を解決するための手段】
【００１０】
本発明の端子台は、配線中継および配線分岐用の導電端子を収容した絶縁性のユニットをその幅方向に複数連結可能とするユニット式の端子台において、隣り合うユニットの両導電端子が電気的に直にまたはスペーサ手段を介して接続されており、そのことにより上記目的が達成される。
【００１１】
また、本発明の端子台における導電端子が、短冊状端子の中央部から連結用端子が突出した平面視Ｔ字形状の場合に、前記隣り合うユニットの両導電端子のうち一方の導電端子における連結用端子の少なくとも端縁部と、他方の導電端子の該中央部とが互いに重なって設けられている。
【００１２】
さらに、本発明の端子台における導電端子が、平面視Ｌ字形状の場合に、前記隣り合うユニットの両導電端子のうち一方の導電端子における少なくとも端縁部と、他方の導電端子の屈曲した中央部とが重なって設けられている。
【００１３】
さらに、本発明の端子台における端縁部と前記中央部とがねじの締結力、ばねの付勢力および押圧力のいずれかにより電気的に接続されている。
【００１４】
上記構成により、以下、本発明の作用を説明する。
【００１５】
本発明においては、隣り合うユニットの両導電端子が電気的に直に接続されている。これによって、従来のように専用配線を別途用意する必要もなく、同一電位にするために配線作業を別途とすることもなく、外観的にも良好でコストを抑えることが可能となる。また、ユニット式なので必要に応じて容易にユニット数を増減できることから、接地電位などの同一電位への接続数の増減にも容易に対応可能となる。
【発明の効果】
【００１６】
以上により、本発明のよれば、隣り合うユニットの両導電端子が電気的に直に接続されているため、専用配線を別途用意する必要がなく、同一電位での配線作業がなく、外観的にも良好でコストを抑えることができると共に、同一電位への接続数の増減にも容易に対応できる。
【発明を実施するための最良の形態】
【００１７】
以下に、本発明の端子台の実施形態をねじアップ式端子台に適用した場合について図面を参照しながら詳細に説明する。なお、本発明の端子台は、ねじアップ式端子台への適用に限定されず、例えば通常のねじ式端子台の他、ばね式端子台およびクランプ式端子台などの配線中継・分岐装置に広く適用することができるものである。もちろん、導電端子の一方端部がねじ式端子で他方端部がファストンタブやばね式端子、クランプ式端子などであってもよいし、この他、これらの組み合わせであってもよい。
【００１８】
図１は、本発明の実施形態に係るねじアップ式端子台の１ユニット構成例を示す図であって、（ａ）はその平面図、（ｂ）はその正面図、（ｃ）はその側面図である。
【００１９】
図１（ａ）〜図１（ｃ）において、本実施形態のねじアップ式端子台１０は、座金付ねじ１と、短冊状の金属板の両端部分に締結用のねじ穴２１が形成された導電端子２と、この導電端子２を保持すると共に、導電端子２の表面に対して垂直方向に座金付ねじ１を移動（アップ・ダウン）自在にガイドする樹脂モールドなどの絶縁部材からなるユニット３と、座金付ねじ１に対してねじ穴２１から離間する方向（端子面に垂直方向）に、座金付ねじ１に付勢力を付与する圧縮ばね４とを有している。
【００２０】
座金付ねじ１は、ねじ１１をその先端部分から座金１２のねじ保持用穴内に通した後に座金１２をカシメることにより、ねじ首が座金１２の穴内で遊環状態で保持されるようになっている。この座金１２は、ねじ保持用穴を有する四角状の座金部１２１と、この座金部の一辺部分に側面視Ｌ字状に連設する支持部１２２とから構成されている。この支持部１２２は、短冊状の端子２の表面に対して垂直方向に配置され、その先端部分１２２ａには、圧縮ばね４が取り付けられている。
【００２１】
導電端子２は、短冊状（Ｉ字状）の金属板の中央部側面から突出した連結用突出部２２を有して、平面視Ｔ字状に形成されている。この連結用突出部２２は、短冊状（Ｉ字状）の金属板の板厚分だけ側面下側から突出するように折り曲げられている。この連結用突出部２２の先端縁部分にはねじ穴２３が幅方向中央部に形成されている。また、短冊状（Ｉ字状）の金属板の両端縁部に形成された両ねじ穴２１間の中央位置には、ねじ１１の先端部外径よりも多少大きいバカ穴２４が形成されている。このバカ穴２４は、連結用突出部２２の根元部に設けられ、その中心が、隣接するユニット３に収容された導電端子２の連結用突出部２２が直下に位置し、その先端縁部のねじ穴２３の中心と一致する位置に形成されている。導電端子２の連結用突出部２２側とは反対側の側面に、バカ穴２４から等距離の位置に各切り欠き部２５がそれぞれ設けられ、これらの切り欠き部２５内に座金１２の支持部１２２が導電端子２の表面に垂直な方向に移動自在に嵌め込まれて位置するようになっている。ねじ穴２１，２３は、ねじ１１の大きさに対してねじ山の係り代を持たすために、導電端子２の厚さが薄い場合にはバーリング加工が為される。
【００２２】
ユニット３は、複数個その厚み方向に連結可能とされ、ユニット３のそれぞれに、座金付ねじ１、導電端子２および圧縮ばね４を収容可能としている。ユニット３には側壁３１が設けられ、この側壁３１から立設した各リブによって、ユニット３を正面から見た場合に、上下および左右に位置規制されるように、各リブ間に前後の一方向から導電端子２が挿入されて保持された状態で、前後の一方向に隣接するユニット３を嵌め込んで連結する。この導電端子２は、隣接する両ユニット３の側壁３１間に配置されて、側壁３１によってその前後方向に位置規制される。この側壁３１には連結用突出部２２を隣のユニット３内に貫通させるための角穴３２が形成されている。ユニット３に導電端子２が収容された状態では、手前側に連結用突出部２２が突出しており、隣にユニット３を連結する際に、側壁３１の角穴３２に連結用突出部２２を貫通させ、その連結用突出部２２が下側に位置するようにユニット３内に導電端子２を互いに重ねて収容可能になっている。さらに、ユニット３の側壁３１と各リブで囲まれた凹部内には、圧縮ばね４によってねじ穴２１からの離間方向に座金付ねじ１が付勢された場合に、座金部１２１を位置規制してこれを保持可能なリブ３３が設けられている。
【００２３】
圧縮ばね４は、ユニット３内の導電端子２の下方位置に配置され、座金１２の支持部１２２の途中の膨らみ部を上方向（ねじ穴２１からの離間方向）に付勢するように、支持部１２２の先端部と、ユニット３およびリブの凹部内の底面との間に配置されている。
【００２４】
上記構成により、本実施形態のねじアップ式端子台１０を組み立てる場合に、まず、前後の一方向から、両切り欠き部２５内に座金１２の支持部１２２がそれぞれ挿入された状態の導電端子２を、ユニット３の各リブ間に嵌め込んで、連結用突出部２２が手前側に突き出た状態で、別のユニット３を、その側壁３１の角穴３２内にその連結用突出部２２を貫通させて互いにユニット３を連結する。
【００２５】
次に、その連結したユニット３の各リブ間に、前後の一方向から、両切り欠き部２５内に座金１２の支持部１２２がそれぞれ挿入された状態の導電端子２を嵌め込む。このとき、側壁３１の角穴３２から突き出た連結用突出部２２が、嵌め込まれた導電端子２の中央部直下に重なるように配置される。このとき、嵌め込まれた導電端子２のバカ穴２４の中心が、側壁３１の角穴３２から突出した連結用突出部２２のねじ穴２３の中心と一致するように位置している。これを必要なユニット数だけ繰り返し、その都度、後述するレール５に差し込んでゆく。
【００２６】
さらに、図３（ａ）〜図３（ｃ）に示すように、レール５に差し込まれた複数のユニット３の連結方向両側から、エンドプレート６をレール５にそれぞれ挿入して、これらの両側のエンドプレート６を各固定金具７によりレール５にそれぞれ固定する。
【００２７】
最後に、連結したユニット３の数よりも１少ない数だけ、導電端子２のバカ穴２４から連結用突出部２２のねじ穴２３にねじ１１を締結することを繰り返す。複数個連結されたユニット３の表面部に透明なカバー８を装着することにより、隣接する複数の導電端子２が全て電気的連結された本実施形態のねじアップ式端子台１０の組立が完成する。
【００２８】
本実施形態のねじアップ式端子台１０を、例えば制御盤の最適位置に取り付け、各機器からの配線端子（配線の先端部に取り付けられた圧着端子Ａ）を、座金付ねじ１の先端部と導電端子２のねじ穴２１との間隙内に挿入した後に、圧着端子Ａの穴内にねじ１１の先端部を通して締め付けて圧着端子Ａを導電端子２と座金付ねじ１の座金１２とで挟み込むことにより、導電端子２と各機器からの電線とを連結する。さらに、ねじアップ式端子台１０の一つの端子に取り付けた配線（配線の先端部に取り付けられた圧着端子Ｂ）を共通電極端子や接地端子に取り付けることにより、ねじアップ式端子台１０の制御盤への共通同電位配線が完了する。
【００２９】
ここで、定期的なメンテナンス時などには、まず、座金付ねじ１を緩めると、座金付ねじ１の先端が導電端子２のねじ穴２１から離脱し、圧縮ばね４の付勢力により座金付ねじ１の座金１２と共にねじ１１が端子面に対して垂直方向に移動（アップ）する。
【００３０】
次に、座金付ねじ１の先端部と導電端子２のねじ穴２１との間隙内に、電線が圧着された圧着端子ＡまたはＢを挿入した後に、圧着端子ＡまたはＢの穴内にねじ１１の先端部を通して締め付けて圧着端子ＡまたはＢを導電端子２と座金付ねじ１の座金１２とで挟み込むことにより、導電端子２と同電位電線とを再び連結することができる。
【００３１】
以上により、本実施形態のねじアップ式端子台１０によれば、配線中継接続のために用いる導電端子２を平面視Ｔ字形状に形成し、隣接するユニット３の角穴３２内にその導電端子２の連結用突出部２２を挿入し、この挿入した連結用突出部２２と、そのユニット３に嵌め込んだ導電端子２の中央部とをねじで上下に締結することにより、電気的な端子結合数を可変可能とするため、従来のように専用配線を別途用意する必要がなく、同一電位（例えば接地電位）にするための配線作業が別途必要なく、外観的にも良好でコストを抑えることができると共に、同一電位への接続数の増減にも容易に対応することができる。したがって、本実施形態のねじアップ式端子台１０は、外部からの付属部品を用いることなく全導電端子２を同極（同電位）にする場合（例えば接地する場合）に容易な端子台、即ち、各導電端子２が互いに電気的に繋がっている端子台であって、圧着端子ＡまたはＢで端子同士を繋いで分岐する場合など、ねじアップ式端子台１０として全て一箇所に集めれば、このねじアップ式端子台１０が有効に作用する。
【００３２】
なお、本実施形態では、ねじアップ式端子台１０について説明したが、前述したように、本発明の連結構造は通常のねじ式端子台の他、例えばばね式端子台やクランプ式端子台であっても適用できる。クランプ式端子台では、図４に示すように、レバー９１を回転することにより、レバー９１の突起部９１ａをばね性のある一方端子９２に押し当てて、その押圧力により一方端子９２（一方の導電端子）を他方端子９３（他方の導電端子）側に移動させて一方端子９２と他方端子９３とを電気的に直に接続することができるが、この場合には、必要に応じてレバー９１を回転することにより一方端子９２と他方端子９３を電気的に接続または遮断することができる。このようなクランプ式端子台９０を断路端子台とも呼んでいる。ばね式端子台では、一方端子のばねの付勢力またはばねの一方端子に対する付勢力により一方端子と他方端子を電気的に安定して接続することができるが、上記とは逆に、レバーを回動することにより、レバーの突起部を回動させて、一方端子のばねの付勢力またはばねの一方端子に対する付勢力に抗してその一方端子と他方端子を離間させて両者を電気的に遮断することができる。この場合に、これらの一方端子と他方端子とは、常時、少なくとも一方のばね性で互いに電気的に直に接続している。さらには、ばね式端子台で、ドライバーや専用工具などで一方端子と他方端子を離間させて断路させるものもあり得る。よって、隣接するユニットの両導電端子が、ねじの締結力の他、ばねの付勢力や押圧力のいずれかにより電気的に接続されるように構成することができる。
【００３３】
また、本実施形態では、導電端子２の中央部にバカ穴２４が形成され、このバカ穴２４の直下の連結用突出部２２にねじ穴２３が形成された場合について説明したが、これに限らず、これとは逆に、導電端子２の中央部にねじ穴が形成され、このねじ穴の直上の連結用突出部２２ａ側にバカ穴が形成された場合についても、隣接する両導電端子２，２を電気的に直に連結することができる。また、導電端子２の中央部にバカ穴が形成され、このバカ穴の直下または直上の連結用突出部２２にもバカ穴が形成され、これらの両バカ穴の直下にナットが配設されていてもよい。
【００３４】
さらに、本実施形態では、隣りの導電端子２の連結用突出部２２と、導電端子２の中央部分とを互いに上下に重なるように構成したが、これに限らず、隣りの導電端子２の連結用突出部２２と、導電端子２の中央部分との間に所定厚さのスペーサ（スペーサ手段）を介在させて両者を電気的に連結させるようにすれば、ユニット３の角穴３２を導電端子２の配置位置から上または下側に必要な絶縁距離だけ持たすように構成することができる。このようにすれば、隣に通常の短冊状の導電端子を用いることもできる。この場合に、この通常の短冊状の導電端子と本実施形態の導電端子２との間、即ち、隣り合うユニット３間に角穴３２があっても、この角穴３２を通しても必要な絶縁距離を取ることができて、本発明の端子台の一部に、連結用突出部２２のない通常の短冊状の導電端子を用いて中継配線することもできる。
【００３５】
さらに、本実施形態では、導電端子２を平面視Ｔ字状に構成したが、これに限らず、図５の導電端子９５のように平面視Ｌ字状に構成することもできる。平面視Ｌ字状の導電端子９５の場合、隣り合う導電端子９５間で連結する部分として、Ｌ字の屈曲中央部と一方端縁部とをねじの締結力やばねの付勢力などで連結するように構成することができる。この場合、上記実施形態のユニット３を用いて片側だけに導電端子がある片側端子台として構成することができる。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００３７】
本発明は、例えば原子力発電所、火力発電所および変電所などの配電盤、制御盤および監視盤などに用いられる配線中継および分岐装置としての例えばね次式端子台、ねじアップ式端子台およびクランプ式端子台などの端子台の分野において、専用配線を別途用意する必要がなく、同一電位での配線作業もなく、外観的にも良好でコストを抑えることができると共に、同一電位（または接地電位）への接続数の増減にも容易に対応できる。
【図面の簡単な説明】
【００３８】
【図１】本発明の実施形態に係るねじアップ式端子台の１ユニットの構成例を示す図であって、（ａ）はその平面図、（ｂ）はその正面図、（ｃ）はその側面図である。
【図２】図１の導電端子の構成例を示す図であって、（ａ）はその平面図、（ｂ）はその正面図、（ｃ）はその斜視図である。
【図３】図１のアップ式端子台の組み立て完了後の外観構成例を示す図であって、（ａ）はその平面図、（ｂ）はその正面図、（ｃ）はその側面図である。
【図４】本発明をクランプ式端子台に適用した場合の要部構成例を模式的に示す端子接続構成図である。
【図５】図１の導電端子の他の構成例を示す平面図である。
【図６】複数ユニットがその幅方向に連結された従来のねじアップ式端子台の構成例を示す斜視図である。
【符号の説明】
【００３９】
１  座金付ねじ
１１  ねじ
１２  座金
１２１  座金部
１２２  支持部
１２２ａ  先端部分
２，９５  導電端子
２１  ねじ穴
２２  連結用突出部
２３  ねじ穴
２４  バカ穴
３  ユニット
３１  側壁
３２  角穴
４  圧縮ばね
５  レール
６  エンドプレート
７  固定金具
８  カバー
１０  ねじアップ式端子台
９０  クランプ式端子台
９１  レバー
９１ａ  突起部
９２  一方端子
９３  他方端子
【図１】
2006210199.tif 000003
【図２】
2006210199.tif 000004
【図３】
2006210199.tif 000005
【図４】
2006210199.tif 000006
【図５】
2006210199.tif 000007
【図６】
2006210199.tif 000008